(57)【特許請求の範囲】
【請求項１】
前面に配管収容溝が凹設された複数枚の基板と、
該基板同士の間に配設された小根太と、
該基板の該配管収容溝内に収容された温調用配管と、
該基板の前面に配置された第１の均熱シートと
を備えた温調マットにおいて、
該基板の裏面に該配管収容溝が露呈しており、
該小根太の前面の少なくとも一部には、該第１の均熱シートが不存在とされており、
該小根太の裏面と、該小根太に隣接する基板（以下、小根太隣接基板という。）の裏面とに跨って、第２の均熱シートが配置されており、
該第２の均熱シートは、該小根太隣接基板の該配管収容溝の少なくとも一部の裏側まで延在していることを特徴とする温調マット。
【請求項２】
請求項１において、前記第２の均熱シートは、前記小根太隣接基板において最も前記小根太に近接した前記配管収容溝の裏側まで延在していることを特徴とする温調マット。
【請求項３】
請求項１又は２において、該温調マットは、さらに、前記温調用配管と接するように前記配管収容溝の内面から前記基板の前面にかけて配材された均熱板を有しており、
前記第２の均熱シートは、該均熱板に接するように配材されていることを特徴とする温調マット。
【請求項４】
請求項１ないし３のいずれか１項に記載の温調マットをマット設置面に沿って設置し、
該温調マットを覆うように内装材を配材し、
該内装材を該温調マットの前記小根太に固定してなる温調構造。
【請求項５】
請求項４において、前記マット設置面は、非木質系材料にて構成されていることを特徴とする温調構造。
【発明の詳細な説明】
【技術分野】
【０００１】
本発明は、建物の室の床、壁、天井等の暖房や冷房を行うための温調マットに係り、特に、前面に配管収容溝が設けられた複数枚の基板と、該基板同士の間に配設された小根太と、該基板の配管収容溝内に収容された温調用配管と、該基板の前面に配置された均熱シートとを備えた温調マットに関する。また、本発明は、この温調マットを建物の室の床、壁、天井等のマット設置面に沿って設置し、この温調マットを覆うように仕上げ材を配設してなる温調構造に関する。
【０００２】
なお、本発明においては、建物の室の床、壁、天井等のマット設置面に沿って温調マットを設置したときの該温調マットのマット設置面側を裏側といい、これと反対側（即ち室内側）を前側という。
【背景技術】
【０００３】
床下地の上に床暖房マットを設置し、その上に仕上げ床材を配材してなる床暖房構造が周知である。
【０００４】
この床暖房マットとして、上面に配管収容溝が設けられた複数枚の基板と、該基板同士の間に配設された小根太と、該基板の配管収容溝内に収容された温水配管と、該基板の上面に配置された均熱シートとを備えたものがある。この床暖房マットの上に配材された仕上げ床材は、この床暖房マットの小根太に固定される。この床暖房マットの温水配管に温水を流すことにより、仕上げ床材が加温され、床暖房が行われる。この際、均熱シートを介して基板の上側の仕上げ床材が広範囲にわたって略均等に加温される。
【０００５】
特許文献１（特開２００９−１５０６３４）には、小根太上に、部分的に均熱シートが存在しない領域を設け、これにより小根太の上面を部分的に露出させることが記載されている（特許文献１の第９図）。この小根太の上面の露出部分に接着剤を塗布して仕上げ床材を配材することにより、仕上げ床材を小根太に直接的に接着することができるので、仕上げ床材を小根太に強固に固定することができる。
【０００６】
特許文献２（特開２００３−１６６７２０）には、小根太の下側に均熱シートを設けると共に、この均熱シートを小根太の両隣のヒータ線に接触させることが記載されている。小根太の下面は、全体がこの均熱シートによって覆われている。このように構成することにより、小根太の上面を露出させつつ、小根太の下側に配置された均熱シートにより該小根太の下面全体にヒータ線からの熱を伝えることができる。これにより、仕上げ床材を小根太に強固に固定することができると共に、均熱シートを介してヒータ線の熱により小根太全体が加温され、この小根太の上側の仕上げ床材も万遍なく加温されるようになるため、床面をムラなく加温することができる。
【先行技術文献】
【特許文献】
【０００７】
【特許文献１】特開２００９−１５０６３４
【特許文献２】特開２００３−１６６７２０
【発明の概要】
【発明が解決しようとする課題】
【０００８】
上記特許文献１では、小根太の上面と、これに隣接する基板の上面とに跨って均熱シートが配置されているが、小根太の上面を露出させるために、均熱シートは、小根太の上面を部分的に覆っている。そのため、小根太のうち均熱シートが存在しない部分の上側では仕上げ床材が加温されにくく、床面温度にムラが生じるおそれがある。
【０００９】
上記特許文献２では、小根太の下面全体が均熱シートで覆われているため、ヒータ線からの熱が均熱シートを介して小根太の下面全体に伝わり、その上側の仕上げ床材も万遍なく加温される。そのため、床面温度にムラが生じにくい。
【００１０】
しかしながら、特許文献２では、この均熱シートを小根太の下側からヒータ線の上側に引き回して該ヒータ線に接触させている。従って、この特許文献２の床暖房マットの上に仕上げ床材を配材した場合、この均熱シートのうちヒータ線の上側に引き回された部分は、仕上げ床材にも接触するようになる。この結果、ヒータ線からの熱は、この均熱シートを介して仕上げ床材と小根太とに分散されるため、小根太が十分に加温されないおそれがある。
【００１１】
特許文献２のように、１枚の均熱シートをヒータ線の上側から小根太の下側まで連続して引き回す場合、該ヒータ線及び小根太が配設された基材が比較的軟質なものでないと、均熱シートを効率良くヒータ線の上側から小根太の下側まで引き回すことは難しい。
【００１２】
しかしながら、基材が軟質であると、人が仕上げ床材を踏んだときに、小根太上と基材上とで感触が異なる（軟質な基材上においては、硬質な小根太上と比べて、仕上げ床材の沈み込みが大きくなる）ため、人に不快感を与え易い。
【００１３】
特許文献２では基材は軟質なものである。特許文献２の第００２３段落〜第００２４段落には、この基材を上方から圧締することにより、この基材の形状が保たれるとあるが、軟質な基材の形状をある程度保つためには、均熱シートにも強度が必要となる。しかしながら、均熱シートを小根太に合わせて直角に折り曲げる必要があるため、均熱シートの強度を上げた場合には、この均熱シートの折り曲げに手間がかかるようになるおそれがある。
【００１４】
本発明は、小根太に内装材を強固に固定することができると共に、内装材のうち小根太に重なった部分にも十分に且つムラなく温調用配管からの熱を伝えることができる温調マットと、この温調マットを用いた温調構造とを提供することを目的とする。
【課題を解決するための手段】
【００１５】
本発明（請求項１）の温調マットは、前面に配管収容溝が凹設された複数枚の基板と、該基板同士の間に配設された小根太と、該基板の該配管収容溝内に収容された温調用配管と、該基板の前面に配置された第１の均熱シートとを備えた温調マットにおいて、該基板の裏面に該配管収容溝が露呈しており、該小根太の前面の少なくとも一部には、該第１の均熱シートが不存在とされており、該小根太の裏面と、該小根太に隣接する基板（以下、小根太隣接基板という。）の裏面とに跨って、第２の均熱シートが配置されており、該第２の均熱シートは、該小根太隣接基板の該配管収容溝の少なくとも一部の裏側まで延在していることを特徴とするものである。
【００１６】
請求項２の温調マットは、請求項１において、前記第２の均熱シートは、前記小根太隣接基板において最も前記小根太に近接した前記配管収容溝の裏側まで延在していることを特徴とするものである。
【００１７】
請求項３の温調マットは、請求項１又は２において、該温調マットは、さらに、前記温調用配管と接するように前記配管収容溝の内面から前記基板の前面にかけて配材された均熱板を有しており、前記第２の均熱シートは、該均熱板に接するように配材されていることを特徴とするものである。
【００１８】
本発明（請求項４）の温調構造は、請求項１ないし３のいずれか１項に記載の温調マットをマット設置面に沿って設置し、該温調マットを覆うように内装材を配材し、該内装材を該温調マットの前記小根太に固定してなるものである。
【００１９】
請求項５の温調構造は、請求項４において、前記マット設置面は、非木質系材料にて構成されていることを特徴とするものである。
【発明の効果】
【００２０】
本発明の温調マット及び温調構造にあっては、小根太の前側には第１の均熱シートが存在せず、小根太の前面が露出しているので、小根太の前面に直接的に内装材を固定することができる。これにより、内装材を小根太に強固に固定することができる。
【００２１】
この温調マットの温調用配管に熱媒体を流すことにより、温調用配管からの熱が内装材に熱が伝わり、室の温調（温度調節）が行われる。この際、温調用配管からの熱が第１の均熱シートを介して内装材に広範囲に伝わり、内装材が広範囲にわたって略均等に温調される。
【００２２】
本発明の温調マットにあっては、小根太の裏面と小根太隣接基板の裏面とに跨って第２の均熱シートが設けられており、この第２の均熱シートは、小根太隣接基板の配管収容溝の裏側まで延在している。該配管収容溝は、基板の裏面に露呈している。これにより、該配管収容溝内の温調用配管からの熱が第２の均熱シートを介して小根太にも伝わる。この際、第２の均熱シートは、前述の特許文献２のように内装材に接触していないため、この第２の均熱シートを伝わる熱が内装材に拡散しない。これにより、該第２の均熱シートを介して小根太に効率良く熱を伝えることができるので、内装材のうち小根太に重なった部分にも十分に熱を伝えることができる。その結果、内装材全体がムラなく温調されるようになる。
【００２３】
請求項２の態様にあっては、小根太に最も近い配管収容溝内の温調用配管からの熱を、第２の均熱シートを介して該小根太に伝えるため、該小根太に効率良く熱を伝えることができる。
【００２４】
請求項３の態様にあっては、温調用配管と接するように配管収容溝の内面から基板の前面にかけて均熱板が配材されているので、この均熱板を介して第１の均熱シートに温調用配管からの熱を効率良く伝えることができる。また、第２の均熱シートもこの均熱板に接しているので、この均熱板を介して第２の均熱シートにも温調用配管からの熱を効率良く伝えることができる。
【００２５】
請求項５の通り、本発明は、マット設置面が非木質系材料にて構成されている温調構造に適用されるのが好ましい。マット設置面が非木質系材料にて構成されていると、温調時の内装材と温調マットとの熱伸縮差が大きくなるが、本発明にあっては、内装材を温調マットの小根太に強固に固定することができるので、この熱伸縮差に伴って内装材同士の間に隙間が生じることを防止ないし抑制することができる。
【図面の簡単な説明】
【００２６】
【図１】実施の形態に係る温調マットとしての床暖房マットの平面図である。
【図２】図１のII−II線に沿う断面図である。
【図３】図１の床暖房マットの分解断面図である。
【図４】図１の床暖房マットを用いて構築された床暖房構造の小根太付近の縦断面図である。
【発明を実施するための形態】
【００２７】
以下、図面を参照して実施の形態について説明する。以下の各実施の形態は、床暖房マット及び床暖房構造への本発明の適用例である。なお、以下の各実施の形態は本発明の一例であり、本発明は以下の各実施の形態以外の形態をもとりうる。
【００２８】
第１図は実施の形態に係る温調マットとしての床暖房マット１の平面図、第２図は第１図のII−II線に沿う断面図、第３図はこの床暖房マット１の分解断面図、第４図は、この床暖房マット１を用いて構築された床暖房構造の小根太付近の縦断面図である。なお、第１図では均熱シート及び均熱板の図示が省略されている。また、第３図は、第２図と同一部分の断面を示している。
【００２９】
この床暖房マット１は、複数枚（この実施の形態では１０枚）の略長方形の薄板状の基板１０〜１９と、隣り合う基板１０〜１９同士の間に配設された複数本の小根太２０と、各基板１０〜１９の上面に設けられた配管収容溝２と、この配管収容溝２に収容されるようにして配材された温調用配管としての温水配管３と、該温水配管３が連なるヘッダー４と、各基板１０〜１９の上面を覆うように配置され、各基板１０〜１９の上面に付着された第１の均熱シート５と、該温水配管３と接するように配管収容溝２の内面から各基板１０〜１９の上面にかけて配材された均熱板６と、各小根太２０の下面及びこれに隣接する基板１０〜１９の下面に跨って配置され、各小根太２０の下面及び各基板１０〜１９の下面に付着された第２の均熱シート７等を備えている。
【００３０】
第２，３図に示すように、この床暖房マット１にあっては、各基板１０〜１９は、各々の底面に配管収容溝２が露呈する厚さとなっている。
【００３１】
第２図の通り、この実施の形態では、各基板１０〜１９の上面からの配管収容溝２の深さは、温水配管３の外径と略等しいものとなっている。即ち、各基板１０〜１９の厚さも、温水配管３の外径と略等しいものとなっている。
【００３２】
温水配管３は、第２，３図のように、略円形の断面形状となっている。
【００３３】
この実施の形態では、第２図の通り、配管収容溝２の長手方向と直交方向の断面形状は、各基板１０〜１９の上面側から下面側まで等幅の略方形の断面形状となっている。なお、配管収容溝２の断面形状はこれに限定されない。例えば、配管収容溝２は、底部が温水配管３の外面に沿うように半円弧状に湾曲した略Ｕ字形の断面形状であってもよい。この場合、配管収容溝２の底部の幅方向の中央付近が、各基板１０〜１９を貫通して各基板１０〜１９の下面に露呈する。
【００３４】
この実施の形態では、各基板１０〜１９に、それぞれ４条ずつ配管収容溝２が設けられている。各基板１０〜１９において、各々の長手方向の両端近傍以外の領域では、これらの４条の配管収容溝２は、各基板１０〜１９の短手方向に間隔をおいて配列され、それぞれ各基板１０〜１９の長手方向に延在している。
【００３５】
第２，３図に示すように、均熱板６は、この実施の形態では、配管収容溝２の内面に沿うＵ字部６ａと、該Ｕ字部６ａの両端（上端）から各基板１０〜１９の上面に沿って側方に延出する１対のフランジ部６ｂとを有した略Ω字形断面形状のものである。この均熱板６は、アルミや銅等の高熱伝導材よりなることが好ましい。
【００３６】
この均熱板６のＵ字部６ａが配管収容溝２内に配置され、その上から、温水配管３がこのＵ字部６ａ内に嵌め込まれるようにして配管収容溝２に収容されている。
【００３７】
第２図の通り、この実施の形態では、均熱板６のＵ字部６ａの底部が配管収容溝２を介して各基板１０〜１９の下面に露呈している。
【００３８】
なお、本発明においては、温水配管３の外径は、通常、５〜１０ｍｍ、特に６〜７ｍｍであることが好ましい。また、均熱板６の厚さは、通常、０．０３〜１ｍｍ、特に０．０８〜１ｍｍであることが好ましい。
【００３９】
本発明においては、各基板１０〜１９の厚さは、通常、５〜１０ｍｍ、特に６〜７ｍｍであることが好ましい。とりわけ、各基板１０〜１９の厚さは、通常、温水配管３の外径＋０．０３〜１ｍｍ、特に温水配管３の外径＋０．０８〜０．１ｍｍであることが好ましい。
【００４０】
第１図の通り、この実施の形態では、基板１０〜１９がこの順に配列され、隣り合う基板１０，１１同士の間、１１，１２同士の間、１２，１３同士の間、１３，１４同士の間、１４，１５同士の間、１５，１６同士の間、１６，１７同士の間、１７，１８同士の間、及び１８，１９同士の間にそれぞれ小根太２０が配置されている。この実施の形態では、各基板１０〜１９は、各々の長手方向の両端同士を揃え、各々の長側辺を小根太２０に突き合わせるようにして配列されている。
【００４１】
第１〜３図に示すように、この実施の形態では、各小根太２０は略長方形断面形状の角棒状のものである。各小根太２０の厚さは、各基板１０〜１９の厚さと略同じとなっている。各小根太２０は、隣接する基板１０〜１９の長側辺に沿って延在し、且つ各々の上面及び下面が、それぞれ隣接する基板１０〜１９の上面及び下面と略面一状に連続するように配設されている。
【００４２】
各小根太２０の長さは、各基板１０〜１９の長さよりも短い。第１図の通り、基板１０，１１同士の間、１２，１３同士の間、１４，１５同士の間、１６，１７同士の間及び１８，１９同士の間の各小根太２０は、それぞれ、一端（第１図における下端。以下、同様。）を各基板１０〜１９の一端に揃えるようにして配置されている。また、基板１１，１２同士の間、１３，１４同士の間、１５，１６同士の間及び１７，１８同士の間の各小根太２０は、それぞれ、他端（第１図における上端。以下、同様。）を各基板１０〜１８の他端に揃えるようにして配置されている。
【００４３】
基板１０，１１同士、１２，１３同士、１４，１５同士、１６，１７同士及び１８，１９同士は、各々の間の小根太２０の前記他端側を回り込むように形成された連結部２１によって連結されている。また、基板１１，１２同士、１３，１４同士、１５，１６同士及び１７，１８同士は、各々の間の小根太２０の前記一端側を回り込むように形成された連結部２１によって連結されている。
【００４４】
連結部２１によって連結された基板１０〜１９同士の間においては、この連結部２１を通って各々の溝２同士が連続している。
【００４５】
各連結部２１の小根太２０と反対側には、小小根太２２が取り付けられている。小小根太２２も、小根太２０と同様に、各基板１０〜１９の厚さと略同じとなっており、上面及び下面が、それぞれ、隣接する基板１０〜１９の上面及び下面と略面一状に連続するように配設されている。
【００４６】
この実施の形態では、基板１３の一端側にヘッダー４が配置されている。第１図の通り、この実施の形態では、ヘッダー４に２回路の温水配管３が接続されている。
【００４７】
これらの温水配管３は、互いに略平行に、該ヘッダー４から各連結部２１を通って基板１３，１２，１１をこの順に経由して基板１０まで引き回され、次いで、この基板１０から各連結部２１を通って基板１１，１２，１３，１４，１５，１６，１７，１８をこの順に経由して基板１９まで引き回され、次いで、この基板１９から各連結部２１を通って基板１８，１７，１６，１５，１４をこの順に経由して基板１３まで引き回され、終端がそれぞれヘッダー４に接続されている。
【００４８】
各温水配管３を配管収容溝２（Ｕ字部６ａ）に収容しつつこのように引き回した後、各基板１０〜１９の上面及び各連結部２１の上面を覆うように第１の均熱シート５が配置され、該第１の均熱シート５がこれらの上面に接着剤等により貼り付けられている。この第１の均熱シート５は、アルミや銅等の高熱伝導材よりなることが好ましい。
【００４９】
第１の均熱シート５は、各小根太２０上及び各小小根太２２上には配置されておらず、各小根太２０の上面及び各小小根太２２の上面は、全体が露出したものとなっている。なお、各小根太２０の上面及び各小小根太２２の上面に、後述の仕上げ床材３０を十分に強固に接着することが可能な露出面積を確保することができれば、各小根太２０の上面及び各小小根太２２の上面に、部分的に、第１の均熱シート５が重なっていてもよい。
【００５０】
各小根太２０の下面と、これに隣接する各基板（以下、小根太隣接基板ということがある。）１０〜１９の下面とに跨って第２の均熱シート７が配置され、該第２の均熱シート７がこれらの下面に接着剤等により貼り付けられている。この第２の均熱シート７も、アルミや銅等の高熱伝導材よりなることが好ましい。
【００５１】
この実施の形態では、第１図の通り、第２の均熱シート７は、各小根太２０の全長にわたって延在した帯状のものである。各小根太２０の下面は、全体が第２の均熱シート７によって覆われている。第２の均熱シート７の幅は、各小根太２０の幅よりも大きなものとなっている。第２図の通り、第２の均熱シート７の幅方向の両端側は、それぞれ、この第２の均熱シート７が貼り付けられた小根太２０の両隣の小根太隣接基板１０〜１９において該小根太２０に最も近い配管収容溝（以下、小根太直近配管収容溝ということがある。）２の下側まで延在し、この小根太直近配管収容溝２内に配置された均熱板６のＵ字部６ａの底部に接触している。なお、第２の均熱シート７の幅方向の両端側は、それぞれ、接着等の結合手段により、この均熱板６のＵ字部６ａの底部に結合されていてもよい。
【００５２】
この第２の均熱シート７及び均熱板６を介して、各小根太直近配管収容溝２内の温水配管３を流れる温水の熱により、各小根太２０が加温される。
【００５３】
第２の均熱シート７の厚さは、第１の均熱シート５の厚さよりも大きいことが好ましく、特に第２の均熱シート７の厚さは、第１の均熱シート５の厚さの２倍以上であることが好ましい。具体的には、通常、第１の均熱シート５の厚さは１０〜２００μｍ特に２０〜１００μｍとりわけ４０μｍとされることが好ましく、第２の均熱シート７の厚さは１５〜５００μｍ特に３０〜３００μｍとりわけ１００μｍであって且つ第１の均熱シート５の厚さよりも大きい厚さとされることが好ましい。
【００５４】
この実施の形態では、第２の均熱シート７の幅方向の両端側は、小根太隣接基板１０〜１９の小根太直近配管収容溝２よりも若干、小根太２０から離隔した位置（小根太隣接基板１０〜１９の短手方向の中央側）まで延在しており、この第２の均熱シート７の幅方向の両端側が小根太隣接基板１０〜１９の下面に貼り付けられることにより、該小根太直近配管収容溝２は、この第２の均熱シート７によって底部が塞がれたものとなっている。即ち、この実施の形態では、各基板１０〜１９において、その短手方向の両端側の配管収容溝２の底部の底部は、それぞれ、この第２の均熱シート７によって塞がれている。
【００５５】
なお、第２の均熱シート７の幅方向の両端側は、少なくとも、小根太直近配管収容溝２内に配置された均熱板６のＵ字部６ａの底部に接触していればよく、必ずしも該小根太直近配管収容溝２の全体を覆っていなくてもよい。そのため、図示は省略するが、例えば第２の均熱シート７の幅方向の両端側を、小根太直近配管収容溝２の幅方向の中間付近まで延在させて、この小根太直近配管収容溝２内の均熱板６のＵ字部６ａの底部に接触させてもよい。その場合、この第２の均熱シート７の下側から後述の裏張りシート８で小根太直近配管収容溝２を塞ぐようにしてもよく、裏張りシート８は省略されてもよい。
【００５６】
第２の均熱シート７は、小根太隣接基板１０〜１９の下面においては、上記の通り、少なくとも小根太直近配管収容溝２の下側まで延在していれば足りるが、それよりも広い範囲を覆うように配材されてもよい。第２の均熱シート７の配材範囲や面積は、温水配管３から小根太２０への熱の伝導効率や、該第２の均熱シート７から床暖房マット１の下面側への熱の放散の程度等を考慮して適宜設定される。
【００５７】
この実施の形態では、第２の均熱シート７は、各小根太２０に隣接する一方の基板１０〜１９の小根太直近配管収容溝２の下側から該小根太２０の下側を通って他方の基板１０〜１９の小根太直近配管収容溝２の下側まで連続したものとなっているが、第２の均熱シート７の構成はこれに限定されない。例えば、各小根太２０に隣接する一方の基板１０〜１９の小根太直近配管収容溝２の下側から該小根太２０の下側までと、他方の基板１０〜１９の小根太直近配管収容溝２の下側から該小根太２０の下側までとに、別々の第２の均熱シート７が配材されてもよい。
【００５８】
第２の均熱シート７の下面側に断熱層（図示略）が設けられてもよい。このように構成することにより、該第２の均熱シート７を伝わる熱が床下地Ｆ（第４図）に逃げることが防止されるため、第２の均熱シート７を介して効率良く小根太２０を加温することができる。床下地Ｆの上に、比較的熱伝導率の低いシートを敷いてから床暖房マット１を設置するようにしても、同様の作用効果が奏される。
【００５９】
小小根太２２の下面にも第２の均熱シート７が配置されてもよい。図示は省略するが、例えば、第２の均熱シート７を小小根太２２の下面とこれに隣接する連結部２１の下面とに跨って配置し、該第２の均熱シート７の連結部２１側の端部を、この連結部２１を通る少なくとも１条の配管収容溝２（好ましくは、連結部２１を通る４条の配管収容溝２のうち小小根太２２に最も近いもの）の下側まで延在させる。これにより、小小根太２２も、温水配管３を流れる温水の熱によって加温されるようになる。なお、各小根太２０の下面から直近の各小小根太２２の下面まで連続して第２の均熱シート７が配材されてもよい。
【００６０】
この実施の形態では、各基板１０〜１９の配管収容溝２のうち、第２の均熱シート７によって底部が塞がれていない配管収容溝２の底部を塞ぐように、各基板１０〜１９の下面の下面に沿って裏張りシート８が配置され、該裏張りシート８が接着剤等により各基板１０〜１９の下面に貼り付けられている。
【００６１】
なお、第２図に示すように、この実施の形態では、該裏張りシート８は、細長い帯状のものであり、配管収容溝２を１条ずつ覆っているが、隣り合う複数の配管収容溝２を連続して覆うものであってもよく、あるいは各基板１０〜１９の下面の略全体を覆うものであってもよい。
【００６２】
この実施の形態では、該裏張りシート８は、低熱伝導材よりなる。この低熱伝導材としては、不織布や合成樹脂シートあるいは紙等を用いることができる。
【００６３】
これらの低熱伝導材の熱伝導率は、通常、０．０２〜０．５Ｗ／ｍ・ｋ、好ましくは０．０２〜０．１Ｗ／ｍ・ｋである。
【００６４】
裏張りシート８は省略されてもよい。なお、このような裏張りシート８を設けることにより、各基板１０〜１９の強度が確保され、また各配管収容溝２からの各基板１０〜１９の下面側への放熱も抑制されるという作用効果が奏される。
【００６５】
この床暖房マット１を用いて床暖房構造を構築する場合には、第４図の通り、床下地Ｆ上にこの床暖房マット１を敷き、釘等の留付手段（図示略）で各小根太２０及び各小小根太２２をそれぞれ床下地Ｆに留め付ける。その後、各小根太２０の上面及び各小小根太２２の上面にそれぞれ接着剤３１を塗布し、その上に仕上げ床材３０を敷設し、該仕上げ床材３０を接着剤３１により各小根太２０の上面及び各小小根太２２の上面に接着する。
【００６６】
なお、仕上げ床材３０は、接着剤３１で各小根太２０及び各小小根太２２に接着されるだけでなく、釘（図示略）により各小根太２０及び各小小根太２２に留め付けられてもよい。この釘は、各小根太２０及び各小小根太２２を貫通して床下地Ｆに打ち込まれてもよい。接着剤３１以外の固定手段により仕上げ床材３０が各小根太２０及び各小小根太２２に固定されてもよい。
【００６７】
この床暖房マット１にあっては、各小根太２０の上面及び各小小根太２２の上面には第１の均熱シート５が存在せず、各小根太２０の上面及び各小小根太２２の上面がそれぞれ露出しているので、各小根太２０の上面及び各小小根太２２の上面に直に接着剤３１を塗布するなどしてこれらに直接的に仕上げ床材３０を固着することができる。これにより、仕上げ床材３０を各小根太２０及び各小小根太２２に強固に固定することができる。
【００６８】
この床暖房マット１の温水配管３にヘッダー４を介して温水供給装置（図示略）からの温水を流すことにより、仕上げ床材３０が加温され、床暖房が行われる。この際、温水配管３からの熱が均熱板６を介して効率良く第１の均熱シート５に伝えられると共に、この第１の均熱シート５を介して各基板１０〜１９の上側の仕上げ床材３０が広範囲にわたって略均等に加温される。
【００６９】
この床暖房マット１にあっては、各小根太２０の下面とその両隣の小根太隣接基板１０〜１９の下面とに跨って第２の均熱シート７が設けられ、この第２の均熱シート７の幅方向の両端側がそれぞれ各小根太隣接基板１０〜１９の小根太直近配管収容溝２の下側まで延在して該小根太直近配管収容溝２内の均熱板６に接触しているので、これらの均熱板６及び第２の均熱シート７を介して、各小根太２０が該小根太直近配管収容溝２内の温水配管３からの熱により加温される。これにより、仕上げ床材３０のうち各小根太２０に重なった部分も、各小根太２０によって加温される。
【００７０】
この際、第２の均熱シート７は、前述の特許文献２のように仕上げ床材３０に接触していないため、この第２の均熱シート７を伝わる熱が仕上げ床材３０に拡散しない。また、第２の均熱シート７は、各小根太２０の下面全体を覆っている。これにより、該第２の均熱シート７を介して各小根太２０の全体を効率良く且つ万遍なく加温することができるので、仕上げ床材３０のうち各小根太２０に重なった部分も十分に且つムラなく加温される。その結果、床面全体がムラなく加温されるようになる。
【００７１】
なお、この加温による仕上げ床材３０の乾燥や熱伸縮により、仕上げ床材３０が収縮し、該仕上げ床材３０と床暖房マット１との間に伸縮差が生じることがある。この際、例えば仕上げ床材３０が第１の均熱シート５を介して各小根太２０及び各小小根太２２に固定された場合などのように、仕上げ床材３０の各小根太２０及び各小小根太２２に対する固着力が小さいと、仕上げ床材３０が各小根太２０及び各小小根太２２から剥がれ、仕上げ床材３０同士の間に隙間が生じるおそれがある。これに対し、この床暖房マット１を用いた床暖房構造にあっては、仕上げ床材３０が各小根太２０及び各小小根太２２に強固に固着されているので、仕上げ床材３０同士の間にこの伸縮差による隙間が生じることが防止されるか、仮に仕上げ床材３０同士の間に隙間が生じたとしても、ごく目立たない程度に抑えることができる。
【００７２】
この場合、床下地Ｆがコンクリートなどの非木質系材料にて構成されていると、加温時の仕上げ床材３０と床暖房マット１との熱伸縮差が大きくなるが、本発明によれば、仕上げ床材３０を各小根太２０及び各小小根太２２に強固に固着することができるので、この場合であっても、仕上げ床材３０と床暖房マット１との熱伸縮差に伴って仕上げ床材３０同士の間に隙間が生じることを効果的に防止ないし抑制することができる。
【００７３】
この実施の形態では、床暖房マット１の各基板１０〜１９は、各々の上面に設けられた配管収容溝２が下面に露呈する程厚さが小さく、これにより、床暖房マット１の全体の厚さも小さいものとなっている。そのため、この床暖房マット１を敷設した床のレベルと、この床暖房マット１を敷設していない部屋の床レベルとの差を小さく抑えることができる。
【００７４】
また、このように床暖房マット１の厚さが小さいので、その分だけ、この床暖房マット１の上に敷設される仕上げ床材３０として厚さの大きいものを用いても、床のレベルが過度に高くなることが防止される。このように仕上げ床材３０として厚さの大きいものを用いることにより、構築された暖房床の強度及び剛性を高めることができる。また、仕上げ床材３０の選択の自由度も高まる。
【００７５】
［材質等］
上記各部材の材質の一例として次のものが挙げられるが、これらに限定されるものではない。
【００７６】
基板としては例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【００７７】
本発明においては、裏張りシートは、低熱伝導材よりなることが好ましい。この低熱伝導材としては、不織布や合成樹脂シートあるいは紙等を用いることができる。
【００７８】
小根太及び小小根太としては、木材や、釘打ち可能な合成木材又は合成樹脂あるいは合成樹脂発泡体等が好ましい。
【００７９】
小根太（小小根太を含む。以下、同様。）は、小根太本体の上下両面に補強板を貼り付けた構成であってもよい。このように構成することにより、小根太は、厚さが小さくても十分な強度・剛性を有したものとなる。この場合、該小根太本体としては、例えば合板等を用いることができ、補強板としては、金属板又は金属箔や、樹脂板、あるいは金属と樹脂との複合材料よりなる板材等を用いることがきる。なお、この場合、該補強板の厚さは、該補強板に釘が入る程度のものとする。小小根太についても同様である。
【００８０】
ただし、小根太及び小小根太の構成はこれに限定されない。例えば、本発明においては、小根太本体及び小小根太本体が十分な強度を有していれば、補強板は省略されてもよい。
【００８１】
第１及び第２の均熱シート、並びに均熱板としては、アルミ又は銅等の金属箔が好ましい。
【００８２】
第１の均熱シートの上面及び第２の均熱板の下面にポリエチレンテレフタレート等のフィルムをラミネートすることにより、温調マットの梱包時や運搬時等に均熱シートの破損を防止することができる。なお、このフィルムの材質はポリエチレンテレフタレート以外であってもよい。
【００８３】
温水配管としては、可撓性のポリエチレン等の合成樹脂チューブや銅パイプが例示される。
【００８４】
［その他の構成］
上記の実施の形態は、いずれも本発明の一例を示すものであり、本発明は図示の構成に限定されない。
【００８５】
本発明の温調マットを構成する基板の枚数に特に制限はなく、１０枚よりも多くても少なくてもよい。
【００８６】
本発明においては、第２の均熱シートによって覆われる配管収容溝以外の配管収容溝においては、その内側にも、底部を塞ぐように低熱伝導材が設けられてもよい。また、この配管収容溝においては、均熱板の外面に低熱伝導材が貼り付けられてもよい。このように構成することにより、基板の下面側への無駄な放熱が抑制される。
【００８７】
上記の実施の形態は床暖房マットに関するものであるが、本発明の温調マットは、壁や天井等に配置されてもよい。また、温水ではなく、冷水を配管に通水して冷房するようにしてもよい。水以外のオイル、不凍液等の熱媒体を流通させてもよい。
【符号の説明】
【００８８】
１  床暖房マット
２  配管収容溝
３  温水配管
４  ヘッダー
５  第１の均熱シート
６  均熱板
７  第２の均熱シート
８  裏張りシート
１０〜１９  基板
２０  小根太
３０  仕上げ床材
３１  接着剤
【図１】
0005609746.tif 000002
【図２】
0005609746.tif 000003
【図３】
0005609746.tif 000004
【図４】
0005609746.tif 000005